(57)【要約】【課題】第１の課題は簡易な構成からなる取扱い良好な文字等用装飾体を提供して、被装飾体の装飾性の向上に寄与することにあり、また第二の課題は製作が簡単に行える文字等用装飾体の製造方法を提供することある。【解決手段】筒状本体１１、１１０が、文字、図形又は記号を表す文字表示部１２、１２０を備え且つ被装飾体２０、２１、２２、２１０を挿通可能なように筒状に形成されているため、筒状本体は構成が非常に簡易なものとなり、その製作が容易で且つ安価に行うことができ、被装飾体に挿通するだけで該被装飾体の装飾が図れるために、使い勝手も良好となり、また、筒状本体は筒状体からなるために、その複数の部位に文字表示部を備えることが可能であり、これにより１個の装飾体で被装飾体の複数の箇所を装飾できる。【選択図】図１
2005292440.tif 000002
【特許請求の範囲】
【請求項１】
被装飾体に挿通可能な筒状本体と、文字、図形又は記号を表す文字表示部とを備えることを特徴とする文字等用装飾体。
【請求項２】
前記筒状本体が前記文字表示部を構成すべく形成されてなることを特徴とする請求項１記載の文字等用装飾体。
【請求項３】
前記筒状本体が前記文字表示部を構成すべく前記筒状本体に切除部が設けられなることを特徴とする請求項２記載の文字等用装飾体。
【請求項４】
前記文字表示部が前記筒状本体とは別体に構成されてなることを特徴とする請求項１記載の文字等用装飾体。
【請求項５】
請求項１乃至４の何れかに記載の文字等用装飾体を装着したことを特徴とする愛玩動物用首輪。
【請求項６】
請求項１乃至４の何れかに記載の文字等用装飾体を装着したことを特徴とする携帯品用ストラップ。
【請求項７】
請求項１乃至４の何れかに記載の文字等用装飾体を装着したことを特徴とする広告表示体。
【請求項８】
被装飾体に挿通可能な筒状本体が文字、図形又は記号を表すべく、該筒状本体の一部を切除して装飾体を形成することを特徴とする文字等用装飾体の製造方法。
【請求項９】
板部材を折曲せしめて被装飾体に挿通可能な筒状本体を形成した後、該筒状本体が文字、図形又は記号を表すべく、筒状本体の一部を切除して装飾体を形成することを特徴とする文字等用装飾体の製造方法。
【発明の詳細な説明】
【技術分野】
【０００１】
本発明は、文字等用装飾体に関し、更に詳しくは、文字、図形又は記号を表して、被装飾体に装着される文字等用装飾体、およびその製造方法並びに文字等用装飾体を装着した愛玩動物用首輪、携帯品用ストラップおよび広告表示体に関する。
【背景技術】
【０００２】
近年、携帯電話の飛躍的な普及により種々の携帯電話用ストラップが広く市場に出回るようになっているが、これの影響を受けてその他の各種被装飾体においても、その装飾性のさらなる向上や多様化が要求されるに至っている。
【０００３】
このような状況下において、従来の装飾体としては例えば図９に示すようなものが存在する（特許文献１参照）。
【特許文献１】特開２００２−２１９０１０号公報（第２頁、図１）。
【０００４】
すなわち、この従来のものは、被装飾体たる紐状体Ａを保持ケースＢの一端部に取り付け、そのガイド壁Ｃ，Ｃ間に複数個の装飾片Ｄを挿入すると共に、該装飾片Ｄの離脱を防止するために両端部にストッパＥを挿入して固定したものである。かかる装飾体にあっては、アルファベット等の文字を刻印した各装飾片Ｄを適宜組み合わせることにより、自分の名前を表したり、簡単な言葉として表すことができる等、紐状体Ａの装飾性を高めることが可能である。
【発明の開示】
【発明が解決しようとする課題】
【０００５】
しかしながら、上記従来の装飾体は複数の装飾片Ｄの他に、別体の保持ケースＢや複数のストッパＥを要するために、全体の部品点数が必要以上に多くなって全体の構成が複雑になるという欠点があった。そして、このために各部材の製作や管理という一連の製造作業が煩雑になるばかりではなく、使用者等による組立作業にも手間を要するという問題をも生ぜしめていたのである。
【０００６】
また、紐状体Ａの種類によっては、その両面或いは複数面に装飾を施すことを要求される場合があるが、この場合、従来のものにあっては、両面に装飾片Ｄを挿入可能な保持ケースＢを別途製作して対処せねばならず、新たに成型型を製作する必要が生じる等、製作費用が著しく嵩むことになり、また保持ケースＢが大型化してしまうという難点もあった。すなわち、この従来のものは紐状体Ａの装飾体としては必ずしも最適なものであるとは言えなかったのである。
【０００７】
本発明は、かかる事情に鑑みてなされたものであり、その第一の目的は簡易な構成からなる取扱い良好な文字等用装飾体を提供して、被装飾体の装飾性の向上に寄与することにあり、また第二の課題は製作が簡単に行える文字等用装飾体の製造方法を提供する点にある。
【課題を解決するための手段】
【０００８】
請求項１に記載の文字等用装飾体は、被装飾体に挿通可能な筒状本体と、文字、図形又は記号を表す文字表示部とを備えることを特徴とする。
【０００９】
請求項１に記載の発明にあっては、被装飾体に筒状本体を挿通することにより、文字表示部を備えた該筒状本体によって被装飾体が装飾されることになる。
【００１０】
請求項２に記載の文字等用装飾体は、請求項１記載の文字等用装飾体において、前記筒状本体が前記文字表示部を構成すべく形成されてなることを特徴とする。
【００１１】
請求項２に記載の発明にあっては、それ自体が文字等の形状に形成された筒状本体により被装飾体たる紐状体等が装飾されることとなる。
【００１２】
請求項３に記載の文字等用装飾体は、請求項２記載の装飾体において、前記筒状本体が前記文字表示部を構成すべく前記筒状本体に切除部が設けられなることを特徴とする。
【００１３】
請求項３に記載の発明にあっては、切除部を設けることにより筒状本体が文字等の形状となり、該筒状本体が文字表示部を構成して被装飾体を装飾することになる。
【００１４】
請求項４に記載の文字等用装飾体は、請求項１記載の文字等用装飾体において、前記文字表示部が前記筒状本体とは別体に構成されてなることを特徴とする。
【００１５】
請求項４に記載の文字等用装飾体にあっては、別体に構成した文字表示部が筒状本体に設けられて、該文字表示部により被装飾体の装飾が図られるのである。
【００１６】
請求項５に記載の愛玩動物用首輪は、請求項１乃至４の何れかに記載の文字等用装飾体を装着したことを特徴とする。
【００１７】
請求項５に記載の愛玩動物用首輪にあっては、請求項１乃至４の何れかに記載の文字等用装飾体によって装飾されることになる。
【００１８】
請求項６に記載の携帯品用ストラップは、請求項１乃至４の何れかに記載の文字等用装飾体を装着したことを特徴とする。
【００１９】
請求項６に記載の携帯品用ストラップにあっては、請求項１乃至４の何れかに記載の文字等用装飾体によって装飾されることになる。
【００２０】
請求項７に記載の広告表示体は、請求項１乃至４の何れかに記載の文字等用装飾体を装着したことを特徴とする。
【００２１】
請求項７に記載の広告表示体にあっては、請求項１乃至４の何れかに記載の文字等用装飾体によって装飾されることになる。
【００２２】
請求項８に記載の文字等用装飾体の製造方法は、被装飾体に挿通可能な筒状本体が文字、図形又は記号を表すべく、該筒状本体の一部を切除して装飾体を形成することを特徴とする。
【００２３】
請求項８に記載の文字等用装飾体の製造方法にあっては、筒状体の一部を切除することにより、文字、図形又は記号を表す形状に形成された筒状体を製造することができる。
【００２４】
請求項９に記載の文字等用装飾体の製造方法は、板部材を折曲せしめて被装飾体に挿通可能な筒状本体を形成した後、該筒状本体が文字、図形又は記号を表すべく、筒状本体の一部を切除して装飾体を形成することを特徴とする。
【００２５】
請求項９に記載の文字等用装飾体の製造方法にあっては、板部材により折曲形成した筒状体の一部を切除することにより、文字、図形又は記号を表す形状に形成された筒状体を製造することができる。
【発明の効果】
【００２６】
請求項１に記載の文字等用装飾体における筒状本体は、文字、図形又は記号を表す文字表示部を備え且つ被装飾体を挿通可能なように筒状に形成したものであるため、構成が非常に簡易なものとなり、その製作が容易で且つ安価に行うことができる。
【００２７】
しかも、被装飾体に挿通するだけで該被装飾体の装飾が図れるために、使い勝手も良好であり、従来のものとは異なり使用者等に負担をかけるということはない。
【００２８】
また、筒状本体は筒状体からなるために、その複数の部位に文字表示部を備えさせることが可能であり、これにより１個の装飾体で被装飾体の複数の箇所を装飾できる。
【００２９】
請求項２に記載の文字等用装飾体は、請求項１記載の文字等用装飾体において、筒状本体が文字表示部を構成すべく形成されてなるために、さらに全体の構成を簡略化できるという効果がある。
【００３０】
請求項３に記載の文字等用装飾体は、請求項２記載の文字等用装飾体において、筒状本体が文字表示部を構成すべく該筒状本体に切除部が設けられてなるが、かかる切除部を筒状本体自体に設けるという構成によって、製作作業の簡略化によるコスト低減が図ることができる。
【００３１】
請求項４に記載の文字等用装飾体は、請求項１記載の文字等用装飾体において、文字表示部を筒状本体とは別体に構成してなるために、この場合も全体構成が従来のものに比して簡易であり、例えば筒状体に別体の文字表示部を接着等して設ければよく、その製作も簡単に行うことができる。
【００３２】
請求項５に記載の愛玩動物用首輪にあっては、請求項１乃至４の何れかに記載の文字等用装飾体を装着しているため、個人の愛玩動物の愛称が表示されている愛玩動物用首輪２１を、容易に個別受注製作することができる。
【００３３】
請求項６に記載の携帯品用ストラップは、請求項１乃至４の何れかに記載の文字等用装飾体を装着しているため、個人のイニシャル等が表示されている携帯品用ストラップ２２を、容易に個別受注製作することができる
【００３４】
請求項７に記載の広告表示体は、表示内容の変更を行う際は、前記文字等用装飾体を入れ替えるだけでよいので、表示内容の変更を容易に行うことができる。
【００３５】
請求項８に記載の文字等用装飾体の製造方法は、筒状体の一部を切除することにより、文字、図形又は記号を表す形状に形成された筒状体を製造することができるため、一連の製作作業が非常に簡易なものとなる。
【００３６】
請求項９に記載の文字等用装飾体の製造方法は、板部材を折曲せしめて筒状体を形成した後、該筒状体が文字、図形又は記号を表すべく筒状体の一部を切除して装飾体を形成するものであるために、例えば、広告表示体等の比較的大きな被装飾体に装着する文字等用装飾体にとって好適な製造方法である。
【発明を実施するための最良の形態】
【００３７】
以下、本発明の実施例１および実施例２を図面に基づいて説明する。
【実施例１】
【００３８】
図１は、本発明に係る第１実施例の文字等用装飾体を示す斜視図である。図中、１０は本発明に係る文字用等装飾体であり、金属製の筒体をベースに形成しており、中空直方体状の金属製筒体を、英文字の「Ｍ」の形状となるように切除して、筒状本体１１を形成すると共に、一面１１aと対向面１１bとに文字等表示部１２を形成する。そして、中空部１３に、例えば、後述する愛玩動物用首輪２１や携帯品用ストラップ２２の紐状体を挿通して前記文字等用装飾体１０を装着するのである。図１では、英文字「Ｍ」を形成したが、必要に応じて所望の文字又は記号等を形成するとよい。
【００３９】
図２は、複数の文字等表示部１２a〜１２eを連結させた文字等用装飾体１０を示す斜視図である。図中、１４は連続面であり、英文字「Ｍ」を表示した文字等表示部１２aと、英文字「Ｉ」を表示した文字等表示部１２bと、英文字「Ｌ」を表示した文字等表示部１２cと、英文字「Ｌ」を表示した文字等表示部１２dと、英文字「Ａ」を表示した文字等表示部１２eとを、その下面において連結させており、一連の「ＭＩＬＬＡ」という英文字を、１個の文字等用装飾体１０で表現させている。
【００４０】
前記のように、文字等用装飾体１０は、１個で一文字を表現すべく形成してもよく、また、１個で一連の所定文字を表現するように形成してもよい。そして、１個で一文字を表現させる場合は、予め、複数種類の文字等を作成しておけば、適宜必要な文字を選択して被装飾体２０を装飾でき、多数品種の被装飾体２０に多数種類の文字を装飾する場合に適することとなるし、一方、１個で一連の所定文字を表現するように形成する場合は、決まった文字のみを使用する場合等に効率的に装飾することができるのである。
【００４１】
図３は、前記文字等用装飾体１０を装着した愛玩動物用首輪２１を示す斜視図である。この愛玩動物用首輪２１は、皮製ストラップ（紐状体）２１aを二つ折りにし、折返部２１bにバックルcを取り付け、所要部分を接着すると共に、非接着箇所２１dを設けている。そして、前記非接着箇所２１dに、予め、皮製ストラップ２１aに挿通していた複数の文字等用装飾体１０、…を位置させて、愛玩動物用首輪２１に文字等用装飾体１０を装着しているのである。前記複数の文字等用装飾体１０、…は、愛玩動物の愛称に対応する英文字であり、これにより、個人の愛玩動物の愛称が表示されている愛玩動物用首輪２１を、容易に個別受注製作することができる。
【００４２】
図４は、前記文字等用装飾体１０を装着した携帯品用ストラップ２２を示す斜視図である。この携帯品用ストラップ２２は、例えば、携帯電話やステッキ等に取り付けられるものであり、所定幅を有する皮製ストラップ２２aの一端が該皮製ストラップ２２aの他端に設けた環体２２bにスライド自在に挿通されて、手を装着するループ２２cを形成しており、皮製ストラップ２２aの一端部に固着した端部材２２d及び取付紐２２を介して、前記携帯電話やステッキ等の携帯品に取り付けるのである。
【００４３】
そして、前記文字等用装飾体１０は、予め、皮製ストラップ２２aの一端側から挿通させて、所望位置に配置させている。このように、前記文字等用装飾体１０を、直接携帯品用ストラップ２２に挿通するという簡単な作業により、携帯品用ストラップ２２に、前記文字等用装飾体１０を取り付けることができるのである。
【００４４】
この場合、前記文字等用装飾体１０を皮製ストラップ２２aに固定せずに該皮製ストラップ２２aに沿って移動するように構成してもよいが、固定する場合には、例えば皮製ストラップ２２aの外径の大きさよりも僅かに大きく前記文字等用装飾体１０の内径を形成したり、皮製ストラップ２２aへの挿通後に前記文字等用装飾体１０を若干かしめたり、或いは同図のように前記文字等用装飾体１０の両側に位置する皮製ストラップ２２aの所定位置にストッパー２２ｆ，２２ｆを設けるとよい。
【００４５】
したがって、前記携帯品用ストラップ２２は、例えば歩行中に杖に外力が加わって不用意に手から携帯品を離してしまった場合や、別の作業を行うべく携帯品から手を離した場合であっても、携帯品の自重を受けて、皮製ストラップ２２aが環体２２b内をスライドし、環体２２bが手首側へと移動する。これにより前記ループ２２cが縮径するため、手首から携帯品が落下するようなことはない。
【００４６】
以上のように構成された携帯品用ストラップ２２に装着された前記複数の文字等用装飾体１０、…は、例えば、所有者のイニシャルに対応する英文字であり、これにより、個人のイニシャルが表示されている携帯品用ストラップ２２を、容易に個別受注製作することができる。
【００４７】
図５（ａ）乃至（ｄ）は、本発明に係る文字等用装飾体１０の一製造方法を示す斜視図である。
【００４８】
図５（ａ）に示すように、長方形断面を有する長尺状の金属製筒体３０を使用して、例えば英文字の「Ｍ」の形状をした装飾体を製作する。なお、かかる筒体３０の大きさ、形状等は挿通すべき被装飾体２０の形状に応じて選択するとよい。
【００４９】
まず、万力等の固定手段により筒体３０を確実に固定した状態で、図５（ａ）において破線で示す切除線３１に沿って切断砥石等の切断道具により切除すれば、筒体３０に、図５（ｂ）に示す切除部３２が形成される。
【００５０】
次に、図５（ｂ）に示す二箇所に破線で示した切除線３１aに沿って同じように切除し、図５（ｃ）のような切除部３２aを形成する。さらに、図５（ｃ）に破線で示した切除線３１bに沿って同様に切除して切除部３２bを形成すれば、正面及び背面から見ると英文字の「Ｍ」の文字を表した文字等用装飾体１０が製作できる。すなわち、筒状本体１１自体が文字表示部１２を構成する装文字等用装飾体１０を製作できるのである。そして、他の文字、図形又は記号も同様にして製作することができる。
【００５１】
そして、その後、必要に応じて、文字等用装飾体１０に、研磨、メッキ又は塗装等の表面処理等を行えば、文字等用装飾体１０の製作は終了する。
【００５２】
このように、この製造方法に係る文字等用装飾体１０の製作によると、切断砥石等の切断道具による切除部３２の形成という非常に簡単な作業で行えるために、熟練性は要求されず、その製作も短時間で且つ安価に行うことができるのである。
【００５３】
図６（ａ）乃至（ｄ）は、本発明に係る文字等用装飾体１０の他の製造方法を示す図である。前述した製造方法においては長尺状の筒体３０を使用して装飾体を製作したが、図６（ａ）乃至（ｄ）に示すように、予め、短寸に切断した筒体４０を用いても構わない。
【００５４】
また、筒体４０は板部材を折曲して形成したものであってもよく、前記製造方法と同様に筒体４０の一部を切除して文字等用装飾体１０を製作することができる。
【００５５】
さらに、切除部３２の形成方法も前記製造方法の切断砥石に限定されず、例えばプレス加工により形成することも可能であり、大量生産を行う場合に適する。
【００５６】
また、筒状体１には必ずしも前記製造方法のように切除線３１を設ける必要はなく、作業者の技量等を考慮して設けるかどうかを決定すればよい。
【実施例２】
【００５７】
図７（ａ）および（ｂ）は、本発明に係る第２実施例の文字等用装飾体１００を示す斜視図である。図中、１００は、第２実施例に係る文字用等装飾体であり、金属製の筒体をベースに形成しており、中空立方体状の金属製筒体を、英文字の「Ｍ」の形状となるように切削して、筒状本体１１０を形成すると共に、四面１１０aに文字等表示部１２０を形成する。そして、中空部１３０に、例えば、後述する広告柱２１０の柱体を挿通して前記文字等用装飾体１００を装着するのである。図７（ａ）では、英文字「Ｍ」を、図７（ｂ）では、英文字「Ａ」を形成したが、必要に応じて所望の文字、図形又は記号を形成するとよい。
【００５８】
以上のように、図１に示す文字等用装飾体１０は、文字の横方向に中空部１３が走るように形成したが、本第２実施例では、中空部１３０は、文字の上下方向に走るように形成している。すなわち、前記第１実施例では、文字等用装飾体１０の文字等に対してその横方向に被装飾体２０が挿通されるように構成しているが、第２実施例においては、文字等に対して上下方向に被装飾体２０を挿通するように構成したのである。
【００５９】
図８は、前記文字等用装飾体１００を装着した広告柱（広告表示体）２１０を示す斜視図である。 前記広告柱２１０は、例えば、店舗の店頭等に配置されるものであり、４枚の長方形状の合成樹脂板２１０aを四角柱となるように連結して形成されており、その内部には、ＬＥＤ又はネオン管等の光源を配し、その周囲に、必要に応じて、畜光材等を配設してある。そして、前記四角柱に前記文字等用装飾体１００の中空部１３０を挿通して、前記広告柱２１０を前記文字等用装飾体１００により装飾するのである。
【００６０】
このように構成された広告柱２１０においては、表示内容の変更を行う際は、前記文字等用装飾体１００を入れ替えるだけでよいので、表示内容の変更を容易に行うことができる。
【００６１】
なお、英文字「Ｍ」からなる前記文字等用装飾体１００と英文字「Ａ」からなる前記文字等用装飾体１００との間に、前記文字等用装飾体１００と同径同厚の透明な枠体（図示せず）を介在せしめて、前記文字等用装飾体１００間に所定間隔を開けてもよい。
【００６２】
また、上記各実施形態においては、筒状本体１１自体が文字表示部１２を構成するように該筒状本体１１に切除部３２を設けたが、本発明は決してこれに限定されず、例えば筒状本体１１に文字等を刻印してもよい他、筒状本体１１とは別体に文字表示部１２を形成し、該文字表示部１２を前記筒状本体１１に接着等して前記文字等用装飾体を形成しても構わない。
【００６３】
また、前記筒体３０、４０の材質は前記実施形態のように金属に限定されず、合成樹脂等であってもよい他、その形状も挿通される被装飾体２０に応じて例えば断面が円形や三角形となるように形成してもよい。三角形の筒体３０，４０を使用すると、その三面に文字表示部１２、１２０を形成できることになる。
【図面の簡単な説明】
【００６４】
【図１】本発明に係る第１実施例の文字等用装飾体を示す斜視図である。
【図２】複数の文字等表示部を連結させた文字等用装飾体を示す斜視図である。
【図３】文字等用装飾体を装着した愛玩動物用首輪を示す斜視図である
【図４】文字等用装飾体を装着した携帯品用ストラップを示す斜視図である。
【図５】（ａ）乃至（ｄ）は、本発明に係る文字等用装飾体の一製造方法を示す斜視図である。
【図６】（ａ）乃至（ｄ）は、本発明に係る文字等用装飾体の他の製造方法を示す図である。
【図７】（ａ）および（ｂ）は、本発明に係る第２実施例の文字等用装飾体を示す斜視図である。
【図８】文字等用装飾体を装着した広告表示体を示す斜視図である。
【図９】特許文献１の装飾体を示す斜視図である。
【符号の説明】
【００６５】
１０                文字等用装飾体  
１１                筒状本体
１１a               一面
１１b               対向面
１２                文字表示部
２０                被装飾体
【図１】
2005292440.tif 000003
【図２】
2005292440.tif 000004
【図３】
2005292440.tif 000005
【図４】
2005292440.tif 000006
【図５】
2005292440.tif 000007
【図６】
2005292440.tif 000008
【図７】
2005292440.tif 000009
【図８】
2005292440.tif 000010
【図９】
2005292440.tif 000011